(57)【要約】      （修正有）【課題】衝撃を大幅に緩和する効果があり、美観にも配慮した景観形成ガードレール木製支柱カバーを提供する。【解決手段】芯持ち角材及び集成材及び接着剤使用の合わせ材を乾燥させた木材に、貫通する中空部及び貫通しない中空部を製作し、木材の一部にガードレール取付金具用の切欠きを中空部まで施し、その中心から取付金具用のボルト穴を貫通させる。既存のガードレール支柱に木材を被せてボルトを通し、木材後ろのナットで締めることで鋼管パイプと木材を一体化させ、木材と鋼管パイプとの隙間には発泡ウレタン及びモルタル接着剤を使用して隙間を詰め、防腐剤、保護塗料を塗布し、木材表面に保護用飛散防止テープで色彩を施し、あるいは直接木材に色彩を施す。【選択図】図１
0003179089.tif 000002
【実用新案登録請求の範囲】
【請求項１】
間伐材による一本の丸太から芯持ち角材及び集成材及び接着剤使用の合わせ材（以下、三材合わせて木材と記す）を自然乾燥及び人工乾燥させた木材に、貫通する中空部及び貫通しない中空部を製作し、木材の一部にガードレール取付金具用の削工を中空部まで施し、その中心から取付金具用のボルト穴を貫通させ、既存のガードレール支柱に上記木材を被せてボルトを通し、木材後ろのナットで締めることで鋼管パイプと木材を一体化させ、木材と鋼管パイプとの隙間には発泡ウレタン及びモルタル接着剤を使用して隙間を詰め、防腐剤、保護塗料を塗布し、木材表面に保護用飛散防止テープで色彩を施し、あるいは直接木材に色彩を施し、必要に応じて支柱鋼管パイプを二重にする構造を特徴とする。
【考案の詳細な説明】
【技術分野】
【０００１】  本新案は間伐材による景観形成ガードレール木製支柱カバーの構造及び構成材に関する。
【背景技術】
【０００２】  従来の国道県道のガードレール及び防護柵は全て鋼管・鋼製品で成り立っており、近年の時代背景の環境問題、美観景観等に欠けるとの問題が指摘されている。
【先行技術文献】
【０００３】  これを解決するために型を変えた防護柵等があるが、どれも鋼管製等であり、現在背景にそぐわないと言わざるを得ない。
【特許文献】
【０００４】
【特許文献１】特開２００５−１８９２８５
【考案の概要】
【考案が解決しようとする課題】
【０００５】  従来のガードレールは実質的な安全性を最大限に重視しているので、無機質な鋼製品であり現在背景に馴染みが薄い。【０００６】  本考案は前記課題を解決する為の考案であり、自然環境の維持と温暖化及び一次産業を根幹とする地域産業を大きく発展させることである。
【課題を解決するための手段】
【０００７】  間伐材の一本の丸太から芯持ち角材及び集成材及び接着剤使用の合わせ材（以下三材合わせて木材と記す）を使用し、木材を貫通する中空部及び貫通しない中空部を必要に応じて製作し、既存のガードレール鋼管パイプ支柱に被い、ボルトにより固定することで強度をもたせ外観を木製に変えるものである。
【考案の効果】
【０００８】  従来の支柱鋼管パイプに比して、木材を使用することにより衝撃を大幅に緩和する効果がある。さらに現在感覚風潮に合った景観形成ガードレール木製支柱になり、木材を大きくすることによりドライバーに安心感、安定感を与え、又自然に優しい美観となり、色彩での識別により通学路、道路の危険箇所等の防災、国道、県道の認識度を高め観光地への誘導を図ることができる。更に木材の有効利用及び、木材の需要拡大にもなり、地域雇用と木材産業及び、関連企業の活性化にも繋がる。
【図面の簡単な説明】
【０００９】
【図１】図１は本考案の一実施形態例の全体を示す斜視図である。
【図２】本考案に使用される間伐材の芯持ち木材の図である。
【図３】本考案に使用される木材の断面図である。
【図４】本考案に使用される木材の側面図である。
【図５】本考案に使用される金具の平面図である。
【図６】本考案に使用される金具の正面図である。
【図７】本考案に使用されるボルトの正面図である。
【図８】本考案に使用される実施例の正面図である。
【考案を実施するための形態】
【００１０】  本考案で使用する木材は、丸形、正方形あるいは長方形でもよく、木材を貫通する中空部及び貫通しない中空部にガードレール支柱の鋼製パイプが一重、二重に挿入できる中空部を開ける。
【００１１】  前記木材の一部を取付金具用に中空部まで削工し、その中心から取付金具用のボルト穴を貫通させ、四側面全体に表面整形をし、防腐剤注入、保護塗料塗布等を施し、既存ガードレール支柱に被い、ボルトによって一体化させる。
【実施例】
【００１２】  間伐材丸太から図２に示すような芯持ち角材及び集成材及び接着剤使用の合わせ材を使用する。（以下三材合わせて木材と記す）本考案で使用する木材は丸形、正方形、長方形等でもよく、中空部については貫通しても貫通しなくてもよい。【００１３】  前記木材の一部を取付金具用に中空部まで削工し、その中心から取付金具用のボルト穴を貫通させ、四側面全体に表面整形をし、防腐剤注入、保護塗料塗布等を施し景観形成ガードレール木製支柱カバーとする。【００１４】  上記木材の中空部と鋼管パイプとの隙間には発泡ウレタン及びモルタル接着剤などの使用を可能とし、取付金具のボルトを木材後ろのナットで締めることにより強力に中空部の鋼管パイプと木材が一体化することを特徴とする。【００１５】  上記木材の表面に飛散防止策及び木材強化策として色彩を兼ねた保護用飛散防止テープを巻くこともでき、直接木材に色彩を施すこともできる。【００１６】  支柱鋼管パイプは既存のガードレール支柱に加え、必要に応じて二重にして強度を保つことを特徴とします。
【産業上の利用可能性】
【００１７】  本考案は、森林整備と林産業の活性化を促進し自然の荒廃を食止め、自然の循環境を維持し、一次産業の森林整備関連の森の工場を根幹とする地域産業を大きく発展させる志向の一環であり、本考案にかかる景観形成ガードレール木製支柱カバーを採用することにより通学路、道路の危険箇所等の防災及び国道、県道、市道等を色別に分け、国外や県内外の観光客等を安易に誘導誘致し観光の振興に花を添えることになります。又、林業整備関連のカーボンオフセット制度により企業種ごとに色彩を持って頂き、企業排出の二酸化炭素相殺により本製品を対照にすれば地方地域産業を大きく発展させ、地域温暖化対策にも貢献し企業イメージも高く評価されます。
【符号の説明】
【００１８】１  木材
２  芯
３  中空部
４  ボルト穴
５  取付け金具
６  ボルト
７  削工口
８  既存ガードレール支柱鋼管パイプ
【図１】
0003179089.tif 000003
【図２】
0003179089.tif 000004
【図３】
0003179089.tif 000005
【図４】
0003179089.tif 000006
【図５】
0003179089.tif 000007
【図６】
0003179089.tif 000008
【図７】
0003179089.tif 000009
【図８】
0003179089.tif 000010
【手続補正書】
【提出日】平成24年7月23日(2012.7.23)
【手続補正１】
【補正対象書類名】明細書
【補正対象項目名】００１０
【補正方法】変更
【補正の内容】
【００１０】  本考案で使用する木材は、丸形、正方形あるいは長方形でもよく、木材を貫通する中空部及び貫通しない中空部にガードレール支柱の鋼製パイプが挿入できる中空部を開ける。
【手続補正２】
【補正対象書類名】明細書
【補正対象項目名】００１１
【補正方法】変更
【補正の内容】
【００１１】  前記木材の一部を取付金具用に中空部まで切欠き、その中心から取付金具用のボルト穴を貫通させ、四側面全体に表面整形をし、防腐剤注入、保護塗料塗布等を施し、既存ガードレール支柱に被い、ボルトによって一体化させる。
【手続補正３】
【補正対象書類名】明細書
【補正対象項目名】００１３
【補正方法】変更
【補正の内容】
【００１３】  前記木材の一部を取付金具用に中空部まで切欠き、その中心から取付金具用のボルト穴を貫通させ、四側面全体に表面整形をし、防腐剤注入、保護塗料塗布等を施し景観形成ガードレール木製支柱カバーとする。
【手続補正４】
【補正対象書類名】明細書
【補正対象項目名】００１８
【補正方法】変更
【補正の内容】
【００１８】  １  木材
２  芯
３  中空部
４  ボルト穴
５  取付け金具
６  ボルト
７  切欠き
８  既存ガードレール支柱鋼管パイプ
【手続補正５】
【補正対象書類名】実用新案登録請求の範囲
【補正対象項目名】全文
【補正方法】変更
【補正の内容】
【実用新案登録請求の範囲】
【請求項１】
間伐材による一本の丸太から芯持ち角材及び集成材及び接着剤使用の合わせ材（以下、三材合わせて木材と記す）を自然乾燥及び人工乾燥させた木材に、貫通する中空部及び貫通しない中空部を製作し、木材の一部にガードレール取付金具用の切欠きを中空部まで施し、その中心から取付金具用のボルト穴を貫通させ、既存のガードレール支柱に上記木材を被せてボルトを通し、木材後ろのナットで締めることで鋼管パイプと木材を一体化させ、木材と鋼管パイプとの隙間には発泡ウレタン及びモルタル接着剤を使用して隙間を詰め、防腐剤、保護塗料を塗布し、木材表面に保護用飛散防止テープで色彩を施し、あるいは直接木材に色彩を施すことを特徴とする景観形成ガードレール木製支柱カバー。